(57)【要約】  本願は無線通信分野に関し、アップリンク制御チャネルリソース確定方法、端末及びネットワーク側装置を開示する。実際に伝送するアップリンク制御シグナリングのサイズの値の範囲が非常に大きい場合、どのように時間周波数リソースの浪費を効果的に防止するかの課題を解決する。本発明において、端末は伝送対象のアップリンク制御シグナリングのビット数Nを確定し、端末は目標符号化レートとNに基づいて第1のリソースの数を確定し、端末は第1のリソースの数とプリセットのリソースの数に基づいて、実際に使用するリソースの数を確定し、端末は実際に使用するリソースの数を使用して、アップリンク制御シグナリングを伝送する。
2021502714.tif 000002
【特許請求の範囲】
【請求項１】
端末は伝送対象のアップリンク制御シグナリングのビット数N、目標符号化レート、変調次数、1つの物理リソースブロック内のアップリンク制御シグナリングが占有する物理リソースの数とプリセットのリソースの数に基づいて、実際に使用するリソースの数及び/又は実際に伝送するアップリンク制御シグナリングのビット数を確定することを含み、
前記実際に使用するリソースの数はプリセットのリソースの数以下であり、前記実際に伝送するアップリンク制御シグナリングのビット数は前記N以下である、アップリンク制御チャネルリソース確定方法。
【請求項２】
前記端末が前記N、前記目標符号化レート、前記変調次数、及び前記1つの物理リソースブロック内のアップリンク制御シグナリングの占有する物理リソースの数に基づいて確定した第1のリソースの数は前記プリセットのリソースの数以下である場合、前記実際に使用するリソースの数は前記第1のリソースの数と等しい、請求項1に記載のアップリンク制御チャネルリソース確定方法。
【請求項３】
前記端末は、前記実際に使用するリソースが前記プリセットのリソースの最初のQ個のリソースであることを確定し、前記Qは前記第1のリソースの数である、請求項2に記載のアップリンク制御チャネルリソース確定方法。
【請求項４】
前記実際に伝送するアップリンク制御シグナリングのビット数は前記Nと等しい、請求項2又は3に記載のアップリンク制御チャネルリソース確定方法。
【請求項５】
前記端末は前記目標符号化レート、前記変調次数、及び前記1つの物理リソースブロック内のアップリンク制御シグナリングが占有する物理リソースの数に基づいて、前記プリセットのリソースの数が前記Nビットのアップリンク制御シグナリングのベアリングに十分でないことを確定した場合、前記端末は前記目標符号化レート、前記変調次数、前記1つの物理リソースブロック内のアップリンク制御シグナリングが占有する物理リソースの数、及び前記プリセットのリソースの数に基づいて、前記実際に伝送するアップリンク制御シグナリングのビット数を確定する、請求項1に記載のアップリンク制御チャネルリソース確定方法。
【請求項６】
前記実際に伝送するアップリンク制御シグナリングのビット数を確定することは、
前記伝送対象のアップリンク制御シグナリングに対してシグナリング圧縮を行って、前記実際に伝送するアップリンク制御シグナリングを取得することを含む、請求項5に記載のアップリンク制御チャネルリソース確定方法。
【請求項７】
前記端末は前記実際に伝送するアップリンク制御シグナリングのビット数、前記目標符号化レート、前記変調次数、及び前記1つの物理リソースブロック内のアップリンク制御シグナリングが占有する物理リソースの数に基づいて、実際に使用するリソースの数を確定する、請求項5に記載のアップリンク制御チャネルリソース確定方法。
【請求項８】
前記端末は前記目標符号化レート、前記変調次数、及び前記1つの物理リソースブロック内のアップリンク制御シグナリングが占有する物理リソースの数に基づいて、前記プリセットのリソースの数が前記Nビットのアップリンク制御シグナリングのベアリングに十分でないことを確定した場合、前記実際に使用するリソースの数が前記プリセットの数と等しいことを確定する、請求項1又は5に記載のアップリンク制御チャネルリソース確定方法。
【請求項９】
前記端末はアップリンク制御シグナリングのビット数N、目標符号化レート、変調次数、1つの物理リソースブロック内のアップリンク制御シグナリングが占有する物理リソースの数に基づいて、第1のリソースの数を確定し、前記第1のリソースの数が前記プリセットのリソースの数よりも大きい場合、前記プリセットのリソースの数が、伝送対象のNビットのアップリンク制御シグナリングのベアリングに十分でないことを示す、請求項5〜8のいずれか1項に記載のアップリンク制御チャネルリソース確定方法。
【請求項１０】
前記目標符号化レートはネットワーク側装置により設定される、請求項1〜9のいずれか1項に記載のアップリンク制御チャネルリソース確定方法。
【請求項１１】
前記プリセットのリソースの数は、
アップリンク制御チャネルが占有する周波数領域リソースブロックの数、又は
アップリンク制御チャネルが占有するリソースユニットの数を含む、請求項1〜10のいずれか1項に記載のアップリンク制御チャネルリソース確定方法。
【請求項１２】
前記プリセットのリソースの数は、
上位層シグナリング指示、又は
上位層シグナリングが少なくとも1つの利用可能なリソースを予め設定し、ダウンリンク制御シグナリングが前記少なくとも1つの利用可能なリソースのうちの1つを指示する、の方式の1つにより確定される、請求項1〜11のいずれか1項に記載のアップリンク制御チャネルリソース確定方法。
【請求項１３】
ネットワーク側装置は受信対象のアップリンク制御シグナリングのビット数N、目標符号化レート、変調次数、1つの物理リソースブロック内のアップリンク制御シグナリングが占有する物理リソースの数とプリセットのリソースの数に基づいて、実際に使用するリソースの数及び/又は実際に受信するアップリンク制御シグナリングのビット数を確定することを含み、
前記実際に使用するリソースの数はプリセットのリソースの数以下であり、前記実際に受信するアップリンク制御シグナリングのビット数は前記N以下である、アップリンク制御チャネルリソース確定方法。
【請求項１４】
前記ネットワーク側装置が前記N、前記目標符号化レート、前記変調次数、及び前記1つの物理リソースブロック内のアップリンク制御シグナリングの占有する物理リソースの数に基づいて確定した第1のリソースの数は前記プリセットのリソースの数以下である場合、前記実際に使用するリソースの数は前記第1のリソースの数と等しい、請求項13に記載のアップリンク制御チャネルリソース確定方法。
【請求項１５】
前記ネットワーク側装置は、前記実際に使用するリソースが前記プリセットのリソースの最初のQ個のリソースであることを確定し、前記Qは前記第1のリソースの数である、請求項14に記載のアップリンク制御チャネルリソース確定方法。
【請求項１６】
前記実際に受信するアップリンク制御シグナリングのビット数は前記Nと等しい、請求項14又は15に記載のアップリンク制御チャネルリソース確定方法。
【請求項１７】
前記ネットワーク側装置は前記目標符号化レート、前記変調次数、及び前記1つの物理リソースブロック内のアップリンク制御シグナリングが占有する物理リソースの数に基づいて、前記プリセットのリソースの数が前記Nビットのアップリンク制御シグナリングのベアリングに十分でないことを確定した場合、前記ネットワーク側装置は目標符号化レート、前記変調次数、前記1つの物理リソースブロック内のアップリンク制御シグナリングが占有する物理リソースの数、及び前記プリセットのリソースの数に基づいて、前記実際に受信するアップリンク制御シグナリングのビット数を確定する、請求項13に記載のアップリンク制御チャネルリソース確定方法。
【請求項１８】
前記ネットワーク側装置は前記実際に受信するアップリンク制御シグナリングのビット数、前記目標符号化レート、前記変調次数、及び前記1つの物理リソースブロック内のアップリンク制御シグナリングが占有する物理リソースの数に基づいて、実際に使用するリソースの数を確定する、請求項17に記載のアップリンク制御チャネルリソース確定方法。
【請求項１９】
前記ネットワーク側装置は前記目標符号化レート、前記変調次数、及び前記1つの物理リソースブロック内のアップリンク制御シグナリングが占有する物理リソースの数に基づいて、前記プリセットのリソースの数が前記Nビットのアップリンク制御シグナリングのベアリングに十分でないことを確定した場合、前記実際に使用するリソースの数が前記プリセットの数と等しいことを確定する、請求項13又は17に記載のアップリンク制御チャネルリソース確定方法。
【請求項２０】
前記ネットワーク側装置はアップリンク制御シグナリングのビット数N、目標符号化レート、変調次数、1つの物理リソースブロック内のアップリンク制御シグナリングが占有する物理リソースの数に基づいて、第1のリソースの数を確定し、前記第1のリソースの数が前記プリセットのリソースの数よりも大きい場合、前記プリセットのリソースの数が、伝送対象のNビットのアップリンク制御シグナリングのベアリングに十分でないことを示す、請求項17〜19のいずれか1項に記載のアップリンク制御チャネルリソース確定方法。
【請求項２１】
伝送対象のアップリンク制御シグナリングのビット数N、目標符号化レート、変調次数、1つの物理リソースブロック内のアップリンク制御シグナリングが占有する物理リソースの数とプリセットのリソースの数に基づいて、実際に使用するリソースの数及び/又は実際に伝送するアップリンク制御シグナリングのビット数を確定することに用いられる実際使用リソース数確定モジュールを備え、
前記実際に使用するリソースの数はプリセットのリソースの数以下であり、前記実際に伝送するアップリンク制御シグナリングのビット数は前記N以下である、端末。
【請求項２２】
前記実際使用リソース数確定モジュールは、前記N、前記目標符号化レート、前記変調次数、及び前記1つの物理リソースブロック内のアップリンク制御シグナリングの占有する物理リソースの数に基づいて確定した第1のリソースの数が前記プリセットのリソースの数以下である場合、前記実際に使用するリソースの数が前記第1のリソースの数と等しいことに用いられる、請求項21に記載の端末。
【請求項２３】
前記実際に使用するリソースは前記プリセットのリソースの最初のQ個のリソースであり、前記Qは前記第1のリソースの数である、請求項22に記載の端末。
【請求項２４】
前記実際に伝送するアップリンク制御シグナリングのビット数は前記Nと等しい、請求項22又は23に記載の端末。
【請求項２５】
前記実際使用リソース数確定モジュールは、前記目標符号化レート、前記変調次数、及び前記1つの物理リソースブロック内のアップリンク制御シグナリングが占有する物理リソースの数に基づいて、前記プリセットのリソースの数が前記Nビットのアップリンク制御シグナリングのベアリングに十分でないことを確定した場合、目標符号化レート、前記変調次数、前記1つの物理リソースブロック内のアップリンク制御シグナリングが占有する物理リソースの数、及び前記プリセットのリソースの数に基づいて、前記実際に伝送するアップリンク制御シグナリングのビット数を確定することに用いられる、請求項21に記載の端末。
【請求項２６】
前記伝送対象のアップリンク制御シグナリングに対してシグナリング圧縮を行って、前記実際に伝送するアップリンク制御シグナリングを取得することに用いられるシグナリング圧縮モジュールを更に備える、請求項25に記載の端末。
【請求項２７】
前記実際使用リソース数確定モジュールは、前記実際に伝送するアップリンク制御シグナリングのビット数、前記目標符号化レート、前記変調次数、及び前記1つの物理リソースブロック内のアップリンク制御シグナリングが占有する物理リソースの数に基づいて、実際に使用するリソースの数を確定することに用いられる、請求項25に記載の端末。
【請求項２８】
前記実際使用リソース数確定モジュールは、前記目標符号化レート、前記変調次数、及び前記1つの物理リソースブロック内のアップリンク制御シグナリングが占有する物理リソースの数に基づいて、前記プリセットのリソースの数が前記Nビットのアップリンク制御シグナリングのベアリングに十分でないことを確定した場合、前記実際に使用するリソースの数が前記プリセットの数と等しいことを確定することに用いられる、請求項21又は25に記載の端末。
【請求項２９】
伝送対象のアップリンク制御シグナリングのビット数N、目標符号化レート、変調次数、1つの物理リソースブロック内のアップリンク制御シグナリングが占有する物理リソースの数に基づいて、第1のリソースの数を確定することに用いられる第1のリソース数確定モジュールを更に備え、前記第1のリソースの数が前記プリセットのリソースの数よりも大きい場合、前記プリセットのリソースの数が、伝送対象のNビットのアップリンク制御シグナリングのベアリングに十分でないことを示す、請求項25〜28のいずれか1項に記載の端末。
【請求項３０】
受信対象のアップリンク制御シグナリングのビット数N、目標符号化レート、変調次数、1つの物理リソースブロック内のアップリンク制御シグナリングが占有する物理リソースの数とプリセットのリソースの数に基づいて、実際に使用するリソースの数及び/又は実際に受信するアップリンク制御シグナリングのビット数を確定することに用いられる実際使用リソース定量モジュールを備え、
前記実際に使用するリソースの数はプリセットのリソースの数以下であり、前記実際に受信するアップリンク制御シグナリングのビット数は前記N以下である、ネットワーク側装置。
【請求項３１】
前記実際使用リソース定量モジュールは、前記N、前記目標符号化レート、前記変調次数、及び前記1つの物理リソースブロック内のアップリンク制御シグナリングの占有する物理リソースの数に基づいて確定した第1のリソースの数は前記プリセットのリソースの数以下である場合、前記実際に使用するリソースの数が前記第1のリソースの数と等しいことに用いられる、請求項30に記載のネットワーク側装置。
【請求項３２】
前記実際使用リソース定量モジュールは、前記実際に使用するリソースが前記プリセットのリソースの最初のQ個のリソースであることを確定し、前記Qは前記第1のリソースの数である、請求項31に記載のネットワーク側装置。
【請求項３３】
前記実際に受信するアップリンク制御シグナリングのビット数は前記Nと等しい、請求項31又は32に記載のネットワーク側装置。
【請求項３４】
前記実際使用リソース定量モジュールは、前記目標符号化レート、前記変調次数、及び前記1つの物理リソースブロック内のアップリンク制御シグナリングが占有する物理リソースの数に基づいて、前記プリセットのリソースの数が前記Nビットのアップリンク制御シグナリングのベアリングに十分でないことを確定した場合、目標符号化レート、前記変調次数、前記1つの物理リソースブロック内のアップリンク制御シグナリングが占有する物理リソースの数、及び前記プリセットのリソースの数に基づいて、前記実際に受信するアップリンク制御シグナリングのビット数を確定することに用いられる、請求項30に記載のネットワーク側装置。
【請求項３５】
前記実際使用リソース定量モジュールは、前記実際に受信するアップリンク制御シグナリングのビット数、前記目標符号化レート、前記変調次数、及び前記1つの物理リソースブロック内のアップリンク制御シグナリングが占有する物理リソースの数に基づいて、実際に使用するリソースの数を確定することに用いられる、請求項34に記載のネットワーク側装置。
【請求項３６】
前記実際使用リソース定量モジュールは、前記目標符号化レート、前記変調次数、及び前記1つの物理リソースブロック内のアップリンク制御シグナリングが占有する物理リソースの数に基づいて、前記プリセットのリソースの数が前記Nビットのアップリンク制御シグナリングのベアリングに十分でないことを確定した場合、前記実際に使用するリソースの数が前記プリセット数と等しいことを確定することに用いられる、請求項30又は34に記載のネットワーク側装置。
【請求項３７】
アップリンク制御シグナリングのビット数N、目標符号化レート、変調次数、1つの物理リソースブロック内のアップリンク制御シグナリングが占有する物理リソースの数に基づいて、第1のリソースの数を確定することに用いられる第1のリソース定量モジュールを更に備え、前記第1のリソースの数が前記プリセットのリソースの数よりも大きい場合、前記プリセットのリソースの数が、伝送対象のNビットのアップリンク制御シグナリングのベアリングに十分でないことを示す、請求項34〜36のいずれか1項に記載のネットワーク側装置。
【請求項３８】
コンピュータプログラムを記憶することに用いられるメモリと、前記メモリに記憶されるコンピュータプログラムを呼び出して実行し、請求項1〜12のいずれか1項に記載の方法を実行することに用いられるプロセッサと、を備える端末。
【請求項３９】
コンピュータプログラムを記憶することに用いられるメモリと、前記メモリに記憶されるコンピュータプログラムを呼び出して実行し、請求項13〜20のいずれか1項に記載の方法を実行することに用いられるプロセッサと、を備えるネットワーク側装置。
【請求項４０】
コンピュータプログラムを記憶することに用いられ、前記コンピュータプログラムによりコンピュータは請求項1〜12のいずれか1項に記載の方法を実行する、コンピュータ読み取り可能な記憶媒体。
【請求項４１】
コンピュータプログラムを記憶することに用いられ、前記コンピュータプログラムによりコンピュータは請求項13〜20のいずれか1項に記載の方法を実行する、コンピュータ読み取り可能な記憶媒体。
【発明の詳細な説明】
【技術分野】
【０００１】
本願は無線通信分野に関し、特にアップリンク制御チャネルリソース確定技術に関する。
【背景技術】
【０００２】
5G NRシステムでは、アップリンク制御チャネルの復調性能を確保するために、ネットワーク装置は異なる端末に対して、ベアリング可能なアップリンク制御シグナリングの最大符号化レートをそれぞれ設定する可能性がある(符号化レートが低いほど、対応するアップリンクカバレッジ半径が大きくなり、端末送信電力が制限される確率が低くなる)。
【０００３】
また、NRは、フィードバック応答情報を送信するアップリンク制御チャネルに対応するリソースを、基地局が上位層シグナリングと動的なシグナリングによって連携して指示することを確定する。即ち、上位層シグナリングにより複数の利用可能なリソース(時間領域、周波数領域、コードドメイン)を予め設定し、動的なシグナリングはそのうちの1つを指示して、実際の伝送に用いる。リソースの時間周波数領域のサイズは上位層シグナリングにより半静的に設定されるため、柔軟性が限られている。実際に伝送するアップリンク制御シグナリングUCIのサイズの値の範囲が非常に大きい場合、プリセットのリソースを使用してUCIを伝送すると、リソースの浪費が発生する可能性があり、即ち、UCIビットが少ない場合、依然として多くの周波数領域リソース（PRB）及び/又は時間領域リソース(シンボル)を占有して伝送を行う。
【発明の概要】
【発明が解決しようとする課題】
【０００４】
本願はアップリンク制御チャネルリソース確定方法、端末及びネットワーク側装置を提供することを目的とし、実際に伝送するアップリンク制御シグナリングのサイズの値の範囲が非常に大きい場合、どのようにリソースの浪費を効果的に防止するかの課題を解決する。
【課題を解決するための手段】
【０００５】
上記課題を解決するために、本願はアップリンク制御チャネルリソース確定方法を開示し、
本願の実施例によるアップリンク制御チャネルリソース確定方法は、
端末は伝送対象のアップリンク制御シグナリングのビット数N、目標符号化レート、変調次数、1つの物理リソースブロック内のアップリンク制御シグナリングが占有する物理リソースの数とプリセットのリソースの数に基づいて、実際に使用するリソースの数及び/又は実際に伝送するアップリンク制御シグナリングのビット数を確定することを含み、
前記実際に使用するリソースの数はプリセットのリソースの数以下であり、前記実際に伝送するアップリンク制御シグナリングのビット数は前記N以下である。
【０００６】
一実施形態において、前記端末が前記N、前記目標符号化レート、前記変調次数、及び前記1つの物理リソースブロック内のアップリンク制御シグナリングの占有する物理リソースの数に基づいて確定した第1のリソースの数は前記プリセットのリソースの数以下である場合、前記実際に使用するリソースの数は前記第1のリソースの数と等しい。
【０００７】
一実施形態において、前記端末は、前記実際に使用するリソースが前記プリセットのリソースの最初のQ個のリソースであることを確定し、前記Qは前記第1のリソースの数である。
【０００８】
一実施形態において、前記実際に伝送するアップリンク制御シグナリングのビット数は前記Nと等しい。
【０００９】
一実施形態において、前記端末は前記目標符号化レート、前記変調次数、及び前記1つの物理リソースブロック内のアップリンク制御シグナリングが占有する物理リソースの数に基づいて、前記プリセットのリソースの数が前記Nビットのアップリンク制御シグナリングのベアリングに十分でないことを確定した場合、前記端末は前記目標符号化レート、前記変調次数、前記1つの物理リソースブロック内のアップリンク制御シグナリングが占有する物理リソースの数、及び前記プリセットのリソースの数に基づいて、前記実際に伝送するアップリンク制御シグナリングのビット数を確定する。
【００１０】
一実施形態において、前記実際に伝送するアップリンク制御シグナリングのビット数を確定することは、
前記伝送対象のアップリンク制御シグナリングに対してシグナリング圧縮を行って、前記実際に伝送するアップリンク制御シグナリングを取得することを含む。
【００１１】
一実施形態において、前記端末は前記実際に伝送するアップリンク制御シグナリングのビット数、前記目標符号化レート、前記変調次数、及び前記1つの物理リソースブロック内のアップリンク制御シグナリングが占有する物理リソースの数に基づいて、実際に使用するリソースの数を確定する。
【００１２】
一実施形態において、前記端末は前記目標符号化レート、前記変調次数、及び前記1つの物理リソースブロック内のアップリンク制御シグナリングが占有する物理リソースの数に基づいて、前記プリセットのリソースの数が前記Nビットのアップリンク制御シグナリングのベアリングに十分でないことを確定した場合、前記実際に使用するリソースの数が前記プリセットの数と等しいことを確定する。
【００１３】
一実施形態において、前記端末はアップリンク制御シグナリングのビット数N、目標符号化レート、変調次数、1つの物理リソースブロック内のアップリンク制御シグナリングが占有する物理リソースの数に基づいて、第1のリソースの数を確定し、前記第1のリソースの数が前記プリセットのリソースの数よりも大きい場合、前記プリセットのリソースの数が、伝送対象のNビットのアップリンク制御シグナリングのベアリングに十分でないことを示す。
【００１４】
一実施形態において、前記目標符号化レートはネットワーク側装置により設定される。
【００１５】
一実施形態において、前記プリセットのリソースの数は、
アップリンク制御チャネルが占有する周波数領域リソースブロックの数、又は
アップリンク制御チャネルが占有するリソースユニットの数を含む。
【００１６】
一実施形態において、前記プリセットのリソースの数は、
上位層シグナリング指示、又は
上位層シグナリングが少なくとも1つの利用可能なリソースを予め設定し、ダウンリンク制御シグナリングが前記少なくとも1つの利用可能なリソースのうちの1つを指示する、の方式の1つにより確定される。
【００１７】
本願はアップリンク制御チャネルリソース確定方法を更に開示し、
ネットワーク側装置は受信対象のアップリンク制御シグナリングのビット数N、目標符号化レート、変調次数、1つの物理リソースブロック内のアップリンク制御シグナリングが占有する物理リソースの数とプリセットのリソースの数に基づいて、実際に使用するリソースの数及び/又は実際に受信するアップリンク制御シグナリングのビット数を確定することを含み、
前記実際に使用するリソースの数はプリセットのリソースの数以下であり、前記実際に受信するアップリンク制御シグナリングのビット数は前記N以下である。
【００１８】
一実施形態において、前記ネットワーク側装置が前記N、前記目標符号化レート、前記変調次数、及び前記1つの物理リソースブロック内のアップリンク制御シグナリングの占有する物理リソースの数に基づいて確定した第1のリソースの数は前記プリセットのリソースの数以下である場合、前記実際に使用するリソースの数は前記第1のリソースの数と等しい。
【００１９】
一実施形態において、前記ネットワーク側装置は、前記実際に使用するリソースが前記プリセットのリソースの最初のQ個のリソースであることを確定し、前記Qは前記第1のリソースの数である。
【００２０】
一実施形態において、前記実際に受信するアップリンク制御シグナリングのビット数は前記Nと等しい。
【００２１】
一実施形態において、前記ネットワーク側装置は前記目標符号化レート、前記変調次数、及び前記1つの物理リソースブロック内のアップリンク制御シグナリングが占有する物理リソースの数に基づいて、前記プリセットのリソースの数が前記Nビットのアップリンク制御シグナリングのベアリングに十分でないことを確定した場合、前記ネットワーク側装置は目標符号化レート、前記変調次数、前記1つの物理リソースブロック内のアップリンク制御シグナリングが占有する物理リソースの数、及び前記プリセットのリソースの数に基づいて、前記実際に受信するアップリンク制御シグナリングのビット数を確定する。
【００２２】
一実施形態において、前記ネットワーク側装置は前記実際に受信するアップリンク制御シグナリングのビット数、前記目標符号化レート、前記変調次数、及び前記1つの物理リソースブロック内のアップリンク制御シグナリングが占有する物理リソースの数に基づいて、実際に使用するリソースの数を確定する。
【００２３】
一実施形態において、前記ネットワーク側装置は前記目標符号化レート、前記変調次数、及び前記1つの物理リソースブロック内のアップリンク制御シグナリングが占有する物理リソースの数に基づいて、前記プリセットのリソースの数が前記Nビットのアップリンク制御シグナリングのベアリングに十分でないことを確定した場合、前記実際に使用するリソースの数が前記プリセットの数と等しいことを確定する。
【００２４】
一実施形態において、前記ネットワーク側装置はアップリンク制御シグナリングのビット数N、目標符号化レート、変調次数、1つの物理リソースブロック内のアップリンク制御シグナリングが占有する物理リソースの数に基づいて、第1のリソースの数を確定し、前記第1のリソースの数が前記プリセットのリソースの数よりも大きい場合、前記プリセットのリソースの数が、伝送対象のNビットのアップリンク制御シグナリングのベアリングに十分でないことを示す。
【００２５】
本願は端末を開示し、
伝送対象のアップリンク制御シグナリングのビット数N、目標符号化レート、変調次数、1つの物理リソースブロック内のアップリンク制御シグナリングが占有する物理リソースの数とプリセットのリソースの数に基づいて、実際に使用するリソースの数及び/又は実際に伝送するアップリンク制御シグナリングのビット数を確定することに用いられる実際使用リソース数確定モジュールを備え、
前記実際に使用するリソースの数はプリセットのリソースの数以下であり、前記実際に伝送するアップリンク制御シグナリングのビット数は前記N以下である。
【００２６】
一実施形態において、前記実際使用リソース数確定モジュールは、前記N、前記目標符号化レート、前記変調次数、及び前記1つの物理リソースブロック内のアップリンク制御シグナリングの占有する物理リソースの数に基づいて確定した第1のリソースの数が前記プリセットのリソースの数以下である場合、前記実際に使用するリソースの数が前記第1のリソースの数と等しいことに用いられる。
【００２７】
一実施形態において、前記実際に使用するリソースは前記プリセットのリソースの最初のQ個のリソースであり、前記Qは前記第1のリソースの数である。
【００２８】
一実施形態において、前記実際に伝送するアップリンク制御シグナリングのビット数は前記Nと等しい。
【００２９】
一実施形態において、前記実際使用リソース数確定モジュールは、前記目標符号化レート、前記変調次数、及び前記1つの物理リソースブロック内のアップリンク制御シグナリングが占有する物理リソースの数に基づいて、前記プリセットのリソースの数が前記Nビットのアップリンク制御シグナリングのベアリングに十分でないことを確定した場合、目標符号化レート、前記変調次数、前記1つの物理リソースブロック内のアップリンク制御シグナリングが占有する物理リソースの数、及び前記プリセットのリソースの数に基づいて、前記実際に伝送するアップリンク制御シグナリングのビット数を確定することに用いられる。
【００３０】
一実施形態において、前記端末は、
前記伝送対象のアップリンク制御シグナリングに対してシグナリング圧縮を行って、前記実際に伝送するアップリンク制御シグナリングを取得することに用いられるシグナリング圧縮モジュールを更に備える。
【００３１】
一実施形態において、前記実際使用リソース数確定モジュールは、前記実際に伝送するアップリンク制御シグナリングのビット数、前記目標符号化レート、前記変調次数、及び前記1つの物理リソースブロック内のアップリンク制御シグナリングが占有する物理リソースの数に基づいて、実際に使用するリソースの数を確定することに用いられる。
【００３２】
一実施形態において、前記実際使用リソース数確定モジュールは、前記目標符号化レート、前記変調次数、及び前記1つの物理リソースブロック内のアップリンク制御シグナリングが占有する物理リソースの数に基づいて、前記プリセットのリソースの数が前記Nビットのアップリンク制御シグナリングのベアリングに十分でないことを確定した場合、前記実際に使用するリソースの数が前記プリセットの数と等しいことを確定することに用いられる。
【００３３】
一実施形態において、前記端末は、伝送対象のアップリンク制御シグナリングのビット数N、目標符号化レート、変調次数、1つの物理リソースブロック内のアップリンク制御シグナリングが占有する物理リソースの数に基づいて、第1のリソースの数を確定することに用いられる第1のリソース数確定モジュールを更に備え、前記第1のリソースの数が前記プリセットのリソースの数よりも大きい場合、前記プリセットのリソースの数が、伝送対象のNビットのアップリンク制御シグナリングのベアリングに十分でないことを示す。
【００３４】
本願はネットワーク側装置を開示し、
受信対象のアップリンク制御シグナリングのビット数N、目標符号化レート、変調次数、1つの物理リソースブロック内のアップリンク制御シグナリングが占有する物理リソースの数とプリセットのリソースの数に基づいて、実際に使用するリソースの数及び/又は実際に受信するアップリンク制御シグナリングのビット数を確定することに用いられる実際使用リソース定量モジュールを備え、
前記実際に使用するリソースの数はプリセットのリソースの数以下であり、前記実際に受信するアップリンク制御シグナリングのビット数は前記N以下である。
【００３５】
一実施形態において、前記実際使用リソース定量モジュールは、前記N、前記目標符号化レート、前記変調次数、及び前記1つの物理リソースブロック内のアップリンク制御シグナリングの占有する物理リソースの数に基づいて確定した第1のリソースの数は前記プリセットのリソースの数以下である場合、前記実際に使用するリソースの数が前記第1のリソースの数と等しいことに用いられる。
【００３６】
一実施形態において、前記実際使用リソース定量モジュールは、前記実際に使用するリソースが前記プリセットのリソースの最初のQ個のリソースであることを確定し、前記Qは前記第1のリソースの数である。
【００３７】
一実施形態において、前記実際に受信するアップリンク制御シグナリングのビット数は前記Nと等しい。
【００３８】
一実施形態において、前記実際使用リソース定量モジュールは、前記目標符号化レート、前記変調次数、及び前記1つの物理リソースブロック内のアップリンク制御シグナリングが占有する物理リソースの数に基づいて、前記プリセットのリソースの数が前記Nビットのアップリンク制御シグナリングのベアリングに十分でないことを確定した場合、目標符号化レート、前記変調次数、前記1つの物理リソースブロック内のアップリンク制御シグナリングが占有する物理リソースの数、及び前記プリセットのリソースの数に基づいて、前記実際に受信するアップリンク制御シグナリングのビット数を確定することに用いられる。
【００３９】
一実施形態において、前記実際使用リソース定量モジュールは、前記実際に受信するアップリンク制御シグナリングのビット数、前記目標符号化レート、前記変調次数、及び前記1つの物理リソースブロック内のアップリンク制御シグナリングが占有する物理リソースの数に基づいて、実際に使用するリソースの数を確定することに用いられる。
【００４０】
一実施形態において、前記実際使用リソース定量モジュールは、前記目標符号化レート、前記変調次数、及び前記1つの物理リソースブロック内のアップリンク制御シグナリングが占有する物理リソースの数に基づいて、前記プリセットのリソースの数が前記Nビットのアップリンク制御シグナリングのベアリングに十分でないことを確定した場合、前記実際に使用するリソースの数が前記プリセットの数と等しいことを確定することに用いられる。
【００４１】
一実施形態において、前記ネットワーク側装置は、アップリンク制御シグナリングのビット数N、目標符号化レート、変調次数、1つの物理リソースブロック内のアップリンク制御シグナリングが占有する物理リソースの数に基づいて、第1のリソースの数を確定することに用いられる第1のリソース定量モジュールを更に備え、前記第1のリソースの数が前記プリセットのリソースの数よりも大きい場合、前記プリセットのリソースの数が、伝送対象のNビットのアップリンク制御シグナリングのベアリングに十分でないことを示す。
【００４２】
本願の実施例による端末は、コンピュータプログラムを記憶することに用いられるメモリと、前記メモリに記憶されるコンピュータプログラムを呼び出して実行し、上記アップリンク制御チャネルリソース確定方法を実行することに用いられるプロセッサと、を備える。
【００４３】
本願の実施例によるネットワーク側装置は、コンピュータプログラムを記憶することに用いられるメモリと、前記メモリに記憶されるコンピュータプログラムを呼び出して実行し、上記アップリンク制御チャネルリソース確定方法を実行することに用いられるプロセッサと、を備える。
【００４４】
本願の実施例によるコンピュータ読み取り可能な記憶媒体は、コンピュータプログラムを記憶することに用いられ、前記コンピュータプログラムによりコンピュータは上記アップリンク制御チャネルリソース確定方法を実行する。
【００４５】
本願の実施形態は従来技術に比べて、実際に伝送するUCIのサイズの値の範囲が非常に大きい場合、時間周波数リソースの浪費の問題を効果的に防止することができる。
【００４６】
本願の明細書には多くの技術的特徴が記載されており、それぞれの技術的手段に分布しており、本願の可能な技術的特徴のすべての組合せ（即ち技術的手段）を網羅すれば、明細書は冗長になりすぎる。この問題を回避するために、本願の上記発明の内容に開示されている各技術的特徴、以下の各実施形態及び例示に開示されている各技術的特徴、並びに図面に開示されている各技術的特徴は、自由に互いに組合わせて、各新たな技術的手段（これらの技術的手段はいずれも本明細書に記載されていると見なす）を構成することができ、このような技術的特徴の組合わせが技術上で不可能である場合は除外される。例えば、特徴A+B+Cが一例に開示され、特徴A+B+D+Eが別例に開示されているが、特徴C、Dは同じ役割を果たす同等の技術的手段であり、技術上では1つを選択して使用すればよく、同時に採用することは不可能であり、特徴Eは技術上で特徴Cと組合わせることができる場合、A+B+C+Dの手段は技術上で不可能であるため、記載されていると見なされず、A+B+C+Eの手段は記載されていると見なされるべきである。
【図面の簡単な説明】
【００４７】
ここで説明する図面は本願を更に理解するためのものであり、本願の一部を構成し、本願の模式的な実施例及びその説明は本願を解釈するためのものであり、本願に対する不当な限定を構成しない。
【００４８】
図面では、
【図１】図1は本発明の第1の実施形態におけるアップリンク制御チャネルリソース確定方法のフロー模式図である。
【図２】図2は本発明の第2の実施形態におけるアップリンク制御チャネルリソース確定方法のフロー模式図である。
【発明を実施するための形態】
【００４９】
以下の記載では、読者に本願を理解してもらうために、多くの技術的詳細を提出した。しかし、当業者が理解できるように、これらの技術的詳細及び以下の各実施形態に基づく様々な変更と修正がなくても、本願のクレームする技術的手段を実現することができる。
【００５０】
概念の一部の説明
5G：第5世代移動通信技術
NR：5G(第5世代移動通信技術)の無線アクセス部分、New Radioの略語
PUCCH：物理アップリンク制御チャネル、Physical Uplink Control CHannelの略語
SR：アップリンクスケジューリング要求、Scheduling Requestの略語
OFDM：直交周波数分割多重、Orthogonal Frequency Division Multiplexingの略語
UCI：アップリンク制御シグナリング
PRB：前記実際に使用するリソースの数を使用してアップリンク制御シグナリングを受信すること
【００５１】
以下、本願の革新的な点の一部を概説する。
【００５２】
端末は伝送対象のアップリンク制御シグナリングのビット数Nと目標符号化レートを確定して、第1のリソースの数を確定し、第1のリソースの数がプリセットのリソースの数以下である場合、第1のリソースの数を実際に使用するリソースの数としてNビットのアップリンク制御シグナリングを伝送し、第1のリソースの数がプリセットのリソースの数よりも大きい場合、プリセットのリソースの数で伝送可能なアップリンク制御シグナリングのビット数の上限を確定し、該上限と目標符号化レートに基づいてシグナリング圧縮等の方式（本発明ではシグナリング圧縮の具体的な方式を限定しない）で伝送対象のアップリンク制御シグナリングのビット数Tを改めて確定し(この時にアップリンク制御シグナリングの具体的な内容も対応的に変化した)、このTで前のNを置き換えて上記方法で繰り返して、最終的に実際に使用するリソースの数を確定する。このような方式によれば、半静的に確定されたプリセットのリソースの数と実際に使用するリソースの数がマッチングしないことによるリソースの浪費の問題は回避される。
【００５３】
上記内容は本発明の一部の革新点に過ぎず、他の革新点と多くの変化形態は以下の実施形態で詳細に説明する。
【００５４】
本願の目的、技術的手段及び利点をより明確にするために、図面を参照して本願の実施形態を更に詳細に説明する。
【００５５】
本発明の第1の実施形態は、アップリンク制御チャネルリソース確定方法に関する。図1は該アップリンク制御チャネルリソース確定方法のフロー模式図である。該アップリンク制御チャネルリソース確定方法は下記ステップ101〜104を含む。
【００５６】
ステップ101において、端末は伝送対象のアップリンク制御シグナリングのビット数Nを確定し、Nは正の整数である。
【００５７】
それからステップ102に進み、端末は目標符号化レートとNに基づいて、第1のリソースの数を確定する。ここで、選択肢として、目標符号化レートはネットワーク側装置によって設定されてもよく、選択肢として、目標符号化レートはプロトコルに従って事前に決められてもよい。
【００５８】
それからステップ103に進み、端末は第1のリソースの数とプリセットのリソースの数に基づいて、実際に使用するリソースの数と実際に伝送するアップリンク制御シグナリングを確定し、実際に使用するリソースの数はプリセットのリソースの数以下であり、実際に伝送するアップリンク制御シグナリングのビット数はN以下である。実際に伝送するアップリンク制御シグナリングの確定ステップは選択肢であり、或いは、実際に使用するリソースの数だけが確定されてもよく、実際に伝送するアップリンク制御シグナリングは伝送対象のアップリンク制御シグナリングであってもよく、改めて確定する必要はない。
【００５９】
それからステップ104に進み、端末は実際に使用するリソースの数を使用して、アップリンク制御シグナリングを伝送する。選択肢として、実際に伝送されるのは最初の伝送対象のアップリンク制御シグナリングである。選択肢として、実際に伝送されるのは、シグナリング圧縮等の処理が施された新たなアップリンク制御シグナリングである。
【００６０】
実際に伝送されるUCIのサイズの値の範囲が非常に大きい場合、時間周波数リソースの浪費の問題を効果的に防止することができる。
【００６１】
端末は様々もの、例えばスマートフォン、タブレットコンピュータ、デスクトップコンピュータ、ノートパソコン、カスタマイズされた無線端末、モノのインターネットノード、無線通信モジュール等であってもよく、約束された通信プロトコルに従ってネットワーク側と無線通信を行うことができるものであればよい。
【００６２】
プリセットのリソースの数と第1のリソースの数は、例えば、アップリンク制御チャネルが占有する周波数領域リソースブロックの数、アップリンク制御チャネルが占有するリソースユニットの数等である複数の可能性がある。
【００６３】
プリセットのリソースの数には、例えば、上位層シグナリング指示、又は、上位層シグナリングが少なくとも1つの利用可能なリソースを予め設定し、ダウンリンク制御シグナリングが前記少なくとも1つの利用可能なリソースのうちの1つを指示すること等の複数の確定方式がある。
【００６４】
上記ステップ103にもいくつかの実現方式があり、以下に例を示す。
【００６５】
選択肢として、第1のリソースの数がプリセットのリソースの数以下である場合、実際に使用するリソースの数は第1のリソースの数と等しく(第1のリソースの数をQとする)、実際に使用するリソースはプリセットのリソースの最初のQ個のリソース、又は後のQ個、或いは他の約束された位置のQ個等であってもよい。
【００６６】
選択肢として、第1のリソースの数がプリセットのリソースの数よりも大きい場合、実際に使用するリソースの数はプリセットの数と等しい。この時、ステップ104で伝送されるのは、伝送対象のアップリンク制御シグナリング(即ちステップ101におけるNビットの伝送対象のアップリンク制御シグナリング)である。
【００６７】
選択肢として、第1のリソースの数がプリセットのリソースの数よりも大きい場合、端末は目標符号化レートとプリセットのリソースの数に基づいて、第1のアップリンク制御シグナリングのビット数を確定する。ここで、伝送対象のアップリンク制御シグナリングに対してシグナリング圧縮を行って、新たな伝送対象のアップリンク制御シグナリングを取得する必要があり、新たな伝送対象のアップリンク制御シグナリングのビット数は第1のアップリンク制御シグナリングのビット数以下である。実際に使用するリソースの数はプリセットのリソースの数と等しい。
【００６８】
選択肢として、第1のリソースの数がプリセットのリソースの数よりも大きい場合、端末は目標符号化レートとプリセットのリソースの数に基づいて、第1のアップリンク制御シグナリングのビット数を確定する。ここで、伝送対象のアップリンク制御シグナリングに対してシグナリング圧縮を行って、新たな伝送対象のアップリンク制御シグナリングを取得する必要があり、新たな伝送対象のアップリンク制御シグナリングのビット数は第1のアップリンク制御シグナリングのビット数以下である。更に、新たな伝送対象のアップリンク制御シグナリングのビット数Tを基に、ステップ101におけるNの位置に代えて、フロー全体はステップ103からステップ101に戻る。具体的に、端末は目標符号化レートと新たな伝送対象のアップリンク制御シグナリングのビット数に基づいて、第2のリソースの数を確定する。実際に使用するリソースの数は第2のリソースの数と等しい。伝送されるアップリンク制御シグナリングは、新たな伝送対象のアップリンク制御シグナリングである。
【００６９】
本実施形態をより明確に説明するために、以下ではいくつかの具体的な実施例を更に挙げる。
【００７０】
実施例1  前記端末は、目標コードレートが
2021502714.tif 000003
であり、伝送対象のアップリンク制御シグナリングのビット数N＝8であることを確定する。前記プリセットのリソースの数は2つのPRBである(PRBごとに12個のキャリアを含む)。前記端末は2つのシンボルのPUCCHを用いてアップリンク制御情報を伝送し(即ち2つの時間領域シンボルを占有する)、PUCCHに含まれる参照信号のオーバーヘッドは1/3であり、且つ前記PUCCHはQPSK変調を採用し、対応の変調次数Q＝2である。
【００７１】
端末は前記第1のリソースの数が
2021502714.tif 000004
であることを確定し、
2021502714.tif 000005
は1つのPRB内においてUCIが占有するREの数である。
【００７２】
前記第1のリソースの数は、前記プリセットのリソースの数よりも小さく、前記端末は1つのPRBを用いて前記アップリンク制御情報を伝送することを確定する。
【００７３】
実施例2  前記端末は、目標コードレートが
2021502714.tif 000006
であり、伝送対象のアップリンク制御シグナリングのビット数N＝10であることを確定する。前記プリセットのリソースの数は2つのPRBである(PRBごとに12個のキャリアを含む)。前記端末は2つのシンボルのPUCCHを用いてアップリンク制御情報を伝送し(即ち2つの時間領域シンボルを占有する)、PUCCHに含まれる参照信号のオーバーヘッドは1/3であり、且つ前記PUCCHはQPSK変調を採用し、対応の変調次数Q＝2である。
【００７４】
端末は前記第1のリソースの数が
2021502714.tif 000007
であることを確定し、
2021502714.tif 000008
は1つのPRB内においてUCIが占有するREの数である。
【００７５】
前記第1のリソースの数は前記プリセットのリソースの数よりも大きく、前記端末は、前記第1のアップリンク制御シグナリングのビット数が
2021502714.tif 000009
であることを確定し、
2021502714.tif 000010
は前記プリセットのリソースの数である。
【００７６】
前記端末は伝送対象のアップリンク制御シグナリングのビットを圧縮して、新たな伝送対象のアップリンク制御シグナリングを取得し、そのビット数は8以下である。前記端末は前記新たな伝送対象のアップリンク制御シグナリングを伝送する。
【００７７】
実施例3  
実施例2の上で、UCI圧縮方式の制限により、端末は実際に伝送するアップリンク制御シグナリングのビット数が
2021502714.tif 000011
であることを確定し、T=4となる。
【００７８】
端末は、前記4ビットのアップリンク制御情報を伝送するために実際に必要なリソース数
2021502714.tif 000012
を更に確定する。
【００７９】
前記端末は1つのPRBを用いて前記4ビットの圧縮アップリンク制御情報を伝送することを確定する。
【００８０】
本発明の第2の実施形態は、アップリンク制御チャネルリソース確定方法に関する。
【００８１】
第1の実施形態は端末側がアップリンク制御チャネルリソースを確定する方法であり、第2の実施形態はネットワーク側がアップリンク制御チャネルリソースを確定する方法であり、両者は技術考案が一致しているが、実現される位置が異なり、関連する詳細は相互運用可能である。図2は該アップリンク制御チャネルリソース確定方法のフロー模式図である。
【００８２】
ステップ201において、ネットワーク側装置は受信対象のアップリンク制御シグナリングのビット数Nを確定し、Nは正の整数である。
【００８３】
それからステップ202に進み、ネットワーク側装置は目標符号化レートとNに基づいて、第1のリソースの数を確定する。ここで、選択肢として、目標符号化レートはネットワーク側装置によって設定されてもよく、選択肢として、目標符号化レートはプロトコルに従って事前に決められてもよい。
【００８４】
それからステップ203に進み、ネットワーク側装置は第1のリソースの数とプリセットのリソースの数に基づいて、実際に使用するリソースの数を確定し、実際に使用するリソースの数はプリセットのリソースの数以下である。
【００８５】
それからステップ204に進み、ネットワーク側装置は実際に使用するリソースの数を使用して、アップリンク制御シグナリングを受信する。
【００８６】
プリセットのリソースの数と第1のリソースの数は、例えば、アップリンク制御チャネルが占有する周波数領域リソースブロックの数、アップリンク制御チャネルが占有するリソースユニットの数等である複数の可能性がある。
【００８７】
プリセットのリソースの数には、例えば、上位層シグナリング指示、又は、上位層シグナリングが少なくとも1つの利用可能なリソースを予め設定し、ダウンリンク制御シグナリングが前記少なくとも1つの利用可能なリソースのうちの1つを指示すること等の複数の確定方式がある
【００８８】
上記ステップ203にはいくつかの実現方式があり、以下に例を示す。
【００８９】
選択肢として、第1のリソースの数がプリセットのリソースの数以下である場合、実際に使用するリソースの数は第1のリソースの数と等しく(第1のリソースの数をQとする)、実際に使用するリソースはプリセットのリソースの最初のQ個のリソース、又は後のQ個、或いは他の約束された位置のQ個等であってもよい。
【００９０】
選択肢として、第1のリソースの数がプリセットのリソースの数よりも大きい場合、実際に使用するリソースの数はプリセットの数と等しい。この場合、ステップ204で実際に受信されるのはNビットのアップリンク制御シグナリングである。
【００９１】
選択肢として、第1のリソースの数がプリセットのリソースの数よりも大きい場合、ネットワーク側装置は目標符号化レートとプリセットのリソースの数に基づいて、第1のアップリンク制御シグナリングのビット数を確定する。実際に使用するリソースの数はプリセットのリソースの数と等しい。この場合、ステップ204で実際に受信されるのは、シグナリング圧縮が施されたアップリンク制御シグナリングである。
【００９２】
選択肢として、第1のリソースの数がプリセットのリソースの数よりも大きい場合、ネットワーク側装置は目標符号化レートとプリセットのリソースの数に基づいて、第1のアップリンク制御シグナリングのビット数を確定する。ネットワーク側装置は目標符号化レートと新たな伝送対象のアップリンク制御シグナリングのビット数に基づいて第2のリソースの数を確定し、新たな伝送対象のアップリンク制御シグナリングは、伝送対象のアップリンク制御シグナリングに対してシグナリング圧縮を行って取得したものであり、新たな伝送対象のアップリンク制御シグナリングのビット数は第1のアップリンク制御シグナリングのビット数以下である。実際に使用するリソースの数は第2のリソースの数と等しい。この場合、実際には、シグナリング圧縮後の新たな伝送対象のアップリンク制御シグナリングのビット数(ステップ201におけるNの代わりに)に応じて、改めてステップ201に戻って繰り返す。
【００９３】
本発明の第3の実施形態は端末に関する。該端末はシグナリングビット数確定モジュール、第1のリソース数確定モジュール、実際使用リソース数確定モジュール、シグナリング圧縮モジュール、伝送モジュールを備える。
【００９４】
シグナリングビット数確定モジュールは、伝送対象のアップリンク制御シグナリングのビット数Nを確定することに用いられる。
【００９５】
第1のリソース数確定モジュールは、目標符号化レートとNに基づいて第1のリソースの数を確定することに用いられる。ここで、選択肢として、目標符号化レートはネットワーク側装置によって設定されてもよく、選択肢として、目標符号化レートはプロトコルに従って事前に決められてもよい。
【００９６】
実際使用リソース数確定モジュールは、第1のリソースの数とプリセットのリソースの数に基づいて、実際に使用するリソースの数と実際に伝送するアップリンク制御シグナリングを確定することに用いられ、実際に使用するリソースの数はプリセットのリソースの数以下であり、実際に伝送するアップリンク制御シグナリングのビット数はN以下である。実際に伝送するアップリンク制御シグナリングの確定は選択肢である。
【００９７】
シグナリング圧縮モジュールは、伝送対象のアップリンク制御シグナリングに対してシグナリング圧縮を行って、新たな伝送対象のアップリンク制御シグナリングを取得することに用いられる。このシグナリング圧縮モジュールは選択肢です。
【００９８】
伝送モジュールは、実際に使用するリソースの数を使用して、アップリンク制御シグナリングを伝送することに用いられる。選択肢として、実際に伝送されるのは最初の伝送対象のアップリンク制御シグナリングである。選択肢として、実際に伝送されるのは、シグナリング圧縮等の処理が施された新たなアップリンク制御シグナリングである。
【００９９】
プリセットのリソースの数と第1のリソースの数は、例えば、アップリンク制御チャネルが占有する周波数領域リソースブロックの数、アップリンク制御チャネルが占有するリソースユニットの数等である複数の可能性がある。
【０１００】
プリセットのリソースの数には、例えば、上位層シグナリング指示、又は、上位層シグナリングが少なくとも1つの利用可能なリソースを予め設定し、ダウンリンク制御シグナリングが前記少なくとも1つの利用可能なリソースのうちの1つを指示すること等の複数の確定方式がある。
【０１０１】
実際使用リソース数確定モジュールにはいくつかの実現方式があり、以下に例を示す。
【０１０２】
選択肢として、実際使用リソース数確定モジュールは第1のリソースの数がプリセットのリソースの数以下であることを判定した場合、実際に使用するリソースの数は第1のリソースの数と等しい。(第1のリソースの数をQとする)、実際に使用するリソースはプリセットのリソースの最初のQ個のリソース、又は後のQ個、或いは他の約束された位置のQ個等であってもよい。
【０１０３】
選択肢として、実際使用リソース数確定モジュールは第1のリソースの数がプリセットのリソースの数よりも大きいことを判定した場合、実際に使用するリソースの数はプリセットの数と等しい。この場合、伝送モジュールが伝送するのは、伝送対象のアップリンク制御シグナリングである。
【０１０４】
選択肢として、実際使用リソース数確定モジュールは第1のリソースの数がプリセットのリソースの数よりも大きいことを判定した場合、端末は目標符号化レートとプリセットのリソースの数に基づいて、第1のアップリンク制御シグナリングのビット数を確定する。この場合、シグナリング圧縮モジュールは、伝送対象のアップリンク制御シグナリングに対してシグナリング圧縮を行って、新たな伝送対象のアップリンク制御シグナリングを取得し、新たな伝送対象のアップリンク制御シグナリングのビット数は第1のアップリンク制御シグナリングのビット数以下である。実際に使用するリソースの数はプリセットのリソースの数と等しい。
【０１０５】
選択肢として、実際使用リソース数確定モジュールは第1のリソースの数がプリセットのリソースの数よりも大きいことを判定した場合、端末は目標符号化レートとプリセットのリソースの数に基づいて、第1のアップリンク制御シグナリングのビット数を確定する。この場合、シグナリング圧縮モジュールは、伝送対象のアップリンク制御シグナリングに対してシグナリング圧縮を行って、新たな伝送対象のアップリンク制御シグナリングを取得し、新たな伝送対象のアップリンク制御シグナリングのビット数は第1のアップリンク制御シグナリングのビット数以下である。端末は目標符号化レートと新たな伝送対象のアップリンク制御シグナリングのビット数に基づいて、第2のリソースの数を確定する。実際に使用するリソースの数は第2のリソースの数と等しい。伝送モジュールが伝送するアップリンク制御シグナリングは、新たな伝送対象のアップリンク制御シグナリングである。
【０１０６】
第1の実施形態は本実施形態に対応する方法の実施形態であり、本実施形態は第1の実施形態と協働して実施することができる。第1の実施形態に記載の関連技術の詳細は、本実施形態においても有効であり、重複を減らすため、ここでは繰り返して説明しない。対応的に、本実施形態に記載の関連技術の詳細は第1の実施形態にも適用されることができる。
【０１０７】
本発明の第4の実施形態はネットワーク側装置に関する。該ネットワーク側装置はシグナリングビット定量モジュール、第1のリソース定量モジュール、実際使用リソース定量モジュール、受信モジュールを備える。
【０１０８】
シグナリングビット定量モジュールは、受信対象のアップリンク制御シグナリングのビット数Nを確定することに用いられる。
【０１０９】
第1のリソース定量モジュールは、目標符号化レートとNに基づいて第1のリソースの数を確定することに用いられる。ここで、選択肢として、目標符号化レートはネットワーク側装置によって設定されてもよく、選択肢として、目標符号化レートはプロトコルに従って事前に決められてもよい。
【０１１０】
実際使用リソース定量モジュールは、第1のリソースの数とプリセットのリソースの数に基づいて、実際に使用するリソースの数を確定することに用いられ、実際に使用するリソースの数はプリセットのリソースの数以下である。
【０１１１】
受信モジュールは、実際に使用するリソースの数で、アップリンク制御シグナリングを受信することに用いられる。
【０１１２】
プリセットのリソースの数と第1のリソースの数は、例えば、アップリンク制御チャネルが占有する周波数領域リソースブロックの数、アップリンク制御チャネルが占有するリソースユニットの数等である複数の可能性がある。
【０１１３】
プリセットのリソースの数には、例えば、上位層シグナリング指示、又は、上位層シグナリングが少なくとも1つの利用可能なリソースを予め設定し、ダウンリンク制御シグナリングが前記少なくとも1つの利用可能なリソースのうちの1つを指示すること等の複数の確定方式がある。
【０１１４】
実際使用リソース定量モジュールにはいくつかの実現方式があり、以下に例を示す。
【０１１５】
選択肢として、実際使用リソース定量モジュールは第1のリソースの数がプリセットのリソースの数以下であることを判定した場合、実際に使用するリソースの数は第1のリソースの数と等しい。(第1のリソースの数をQとする)、実際に使用するリソースはプリセットのリソースの最初のQ個のリソース、又は後のQ個、或いは他の約束された位置のQ個等であってもよい。
【０１１６】
選択肢として、実際使用リソース定量モジュールは第1のリソースの数がプリセットのリソースの数よりも大きいことを判定した場合、実際に使用するリソースの数はプリセットの数と等しい。この場合、受信モジュールが実際に受信するのは、受信対象のアップリンク制御シグナリング(Nビット)である。
【０１１７】
選択肢として、実際使用リソース定量モジュールは第1のリソースの数がプリセットのリソースの数よりも大きいことを判定した場合、目標符号化レートとプリセットのリソースの数に基づいて、第1のアップリンク制御シグナリングのビット数を確定する。実際に使用するリソースの数はプリセットのリソースの数と等しい。この場合、受信モジュールが実際に受信するのは、シグナリング圧縮が施されたアップリンク制御シグナリングである。
【０１１８】
選択肢として、実際使用リソース定量モジュールは第1のリソースの数がプリセットのリソースの数よりも大きいことを判定した場合、目標符号化レートとプリセットのリソースの数に基づいて、第1のアップリンク制御シグナリングのビット数を確定する。目標符号化レートと新たな伝送対象のアップリンク制御シグナリングのビット数に基づいて第2のリソースの数を確定し、新たな伝送対象のアップリンク制御シグナリングは、伝送対象のアップリンク制御シグナリングに対してシグナリング圧縮を行って取得したものであり、新たな伝送対象のアップリンク制御シグナリングのビット数は第1のアップリンク制御シグナリングのビット数以下である。実際に使用するリソースの数は第2のリソースの数と等しい。この場合、受信モジュールが実際に受信するのは、シグナリング圧縮が施されたアップリンク制御シグナリングである。
【０１１９】
第2の実施形態は本実施形態に対応する方法の実施形態であり、本実施形態は第2の実施形態と協働して実施することができる。第2の実施形態に記載の関連技術の詳細は、本実施形態においても有効であり、重複を減らすため、ここでは繰り返して説明しない。対応的に、本実施形態に記載の関連技術の詳細は第2の実施形態にも適用されることができる。
【０１２０】
本発明の各方法の実施形態は、ソフトウェア、ハードウェア、ファームウェア等の方式で実現することができる。本発明がソフトウェア、ハードウェア、又はファームウェアで実現されるにかかわらず、指令コードは、任意のタイプのコンピュータがアクセス可能なメモリ(例えば、永続的又は修正可能、揮発性又は不揮発性、固体又は非固体、固定又は交換可能な媒体等) に記憶することができる。同様に、メモリは、例えば、プログラマブルアレイロジック(Programmable Array Logic、「PAL」と略称)、ランダムアクセスメモリ(Random Access Memory、「RAM」と略称)、プログラマブル読み出し専用メモリ(Programmable Read Only Memory、「PROM」と略称)、読み出し専用メモリ(Read-Only Memory、「ROM」と略称)、電気的消去可能プログラマブル読み出し専用メモリ(Electrically Erasable Programmable ROM、「EEPROM」と略称)、磁気ディスク、光ディスク、デジタル汎用ディスク（Digital Versatile Disc、「DVD」と略称）等であってもよい。
【０１２１】
なお、本発明の各デバイスの実施形態に記載の各ユニットは論理ユニットであり、物理的には、1つの論理ユニットは1つの物理ユニットであってもよく、1つの物理ユニットの一部であってもよく、複数の物理ユニットの組合せで実現してもよいが、これらの論理ユニット自体の物理的な実現形態は最も重要なものではなく、これらの論理ユニットが実現する機能の組合せは本発明が提案する技術課題を解決する鍵である。また、本発明の革新的な部分を強調するために、本発明の上記各デバイスの実施形態は、本発明が提案する技術課題の解決に深く関係がないユニットを導入しなく、これは上記デバイスの実施形態に他のユニットが存在しないことを意味しない。
【０１２２】
なお、本特許出願書類では、第1及び第2等のような関係用語は、1つのエンティティ又は動作を別のエンティティ又は動作から区別するためのものに過ぎず、必ずしもこれらのエンティティ又は動作の間にそのような実際の関係又は順序が存在することを要求又は示唆するとは限らない。そして、「含む」、「含まれる」という用語又はその他のいかなる変形は、非排他的な包含を意味し、これにより、一連の要素を含む過程、方法、物又は装置はそれらの要素だけでなく、明確に列挙されない他の要素をも含み、或いはこのような過程、方法、物又は装置が固有する要素を更に含む。より多くの制限がない場合、「1つの…を含む」というセンテンスにより限定された要素は、前記要素を含む過程、方法、物又は装置に別の同一の要素が更に存在することを排除しない。本特許出願書類において、ある要素に基づいて何らかの挙動を実行すると言及した場合、少なくとも該要素に基づいて該挙動を実行するという意味であり、該要素のみに基づいて該挙動を実行する場合、及び該要素と他の要素に基づいて該挙動を実行する場合の2つの場合が含まれる。「複数」、「複数回」、「複数の種類」等の表現は、2つ、2回、2種類及び2つ以上、2回以上、2種類以上を含む。
【０１２３】
各文献が参考として単独で引用されるように、本願で言及されるすべての文献は、参考として本願で引用される。また、理解できるように、本願の上記説明内容を読んだ後、当業者は本願に対して様々な変更や修正を行うことができ、これらの等価形式も本願のクレームする範囲に含まれる。
【図１】
2021502714.tif 000013
【図２】
2021502714.tif 000014
【国際調査報告】
2021502714.tif 000015
2021502714.tif 000016
2021502714.tif 000017
2021502714.tif 000018